(57)【要約】【課題】半導体レーザと受光素子基板とを一体的に集積化した光デバイスにおいて、各部品の相互位置の誤差の累積による性能劣化を回避し、射出光の光強度分布や偏光方向などの光学的設定の自由度が確保できるようにする。【解決手段】第１及び第２の半導体レーザ１ａ，１ｂを搭載し、半導体レーザの搭載部と光路変換ミラーが一体形成されたサブマウント２と、受光素子基板３上に設けられ、射出受光素子基板上に、少なくとも一本の分割線によって分割された第１及び第２の受光領域１１を有する受光素子３とを備え、第１の半導体レーザから発せられ光ディスク５５により反射された復路光束の受光素子上における光スポットの重心と、第２の半導体レーザから発せられ光ディスク５５により反射された復路光束の受光素子上における光スポットの重心とが、同一の分割線上に位置する。【選択図】図１
2010231874.tif 000002
【特許請求の範囲】
【請求項１】
少なくとも二個の第１及び第２の半導体レーザが並列して搭載され、前記第１及び第２の半導体レーザを搭載する搭載部及び前記第１及び第２の半導体レーザから射出したレーザ光を反射する光路変換ミラーが一体化形成され、配線基板上に設置されたサブマウントと、
前記配線基板上に設置された受光素子基板と、
前記受光素子基板上に設けられ、少なくとも一本の分割線によって分割された第１及び第２の受光領域を有する受光素子と
を備え、
前記サブマウントの前記配線基板上における回転位置が調整されていることにより、前記第１の半導体レーザから発せられ、光ディスクにより反射された復路光束の前記受光素子上における光スポットの重心と、前記第２の半導体レーザから発せられ、光ディスクにより反射された復路光束の前記受光素子上における光スポットの重心とが、いずれも同一の前記分割線上に位置する
ことを特徴とする光デバイス。
【請求項２】
少なくとも二個の第１及び第２の半導体レーザが並列して搭載され、前記第１及び第２の半導体レーザを搭載する搭載部及び前記第１及び第２の半導体レーザから射出したレーザ光を反射する光路変換ミラーが一体化形成され、配線基板上に設置されたサブマウントと、
前記配線基板上に設置された受光素子基板と、
前記受光素子基板上に設けられ、少なくとも一本の分割線によって分割された第１及び第２の受光領域を有する受光素子と
を備え、
前記第１の半導体レーザの前記光路変換ミラーによる第１の見かけの発光点は、前記第１の半導体レーザから発せられ、光ディスクにより反射された復路光束を受光した第１の受光領域及び第２の受光領域からの各光検出出力の差演算出力が０となる位置となっており、
前記第１の半導体レーザと第２の半導体レーザの発光点間隔をｄとし、前記サブマウントの前記配線基板上における回転位置が、前記受光素子基板の上面に平行で前記分割線に直交する方向に対して角度θだけ回転調整され、前記第１の見かけの発光点と第２の半導体レーザの前記光路変換ミラーによる第２の見かけの発光点との高さの差をΔＹとするとき、ΔＹ＝−ｄsinθの関係を有し、前記第２の半導体レーザから発せられ、光ディスクにより反射された復路光束を受光した第１の受光領域及び第２の受光領域からの各光検出出力の差演算出力が０となっている
ことを特徴とする光デバイス。
【発明の詳細な説明】
【技術分野】
【０００１】
本発明は、主に光ディスク等の光情報記録媒体の記録及び／又は再生用光ピックアップに用いる光デバイスに関する。
【背景技術】
【０００２】
従来、情報記録媒体である光ディスクとしては、ＣＤ（Compact Disc）やＤＶＤ（Digital Versatile Disc）が知られており、また、さらに高密度記録に対応したＢＤ（Blu-ray Disc）などが提案されている。光ディスクには、大容量化、高密度化が要請されている。光ディスクの大容量化、高密度化に伴って、これら光ディスクの再生及び／又は記録を行う光ピックアップにおいては、光源の短波長化及び対物レンズ開口数（ＮＡ）の向上が図られており、この光ピックアップを構成する受発光素子や光学部品の寸法や相互位置関係にも、さらに高い精度が求められている。
【０００３】
また、光ディスクの用途の多様化に伴って、可搬性の高い記録再生装置が求められ、光ピックアップの小型化、軽量化と信頼性との両立が求められており、この要請に対応して、光ピックアップにおける光源となる半導体レーザ、受光素子基板となるＰＤＩＣ（Photo Detector IC）、光路変換機能、光路分岐機能及びレンズ機能を備えたホログラム素子、さらに、ミラー等を一体集積化した光デバイスが提案されている。そして、この光デバイスにおいても、光ディスクの大容量化、高密度化に伴って、各部の寸法や相互位置関係に高精度化が求められており、かつ、低価格化も求められている。
【０００４】
本件出願人は、特許文献１に記載されているように、ＰＤＩＣ上に、光路変換ミラー、サブマウント及び半導体レーザをそれぞれ別体で搭載し、半導体レーザと受光素子とを一体化し集積化した光デバイスを提案している。
【０００５】
また、特許文献２には、受光素子基板、光路変換ミラー及びサブマウントが一体形成され、半導体レーザをサブマウントを介さずＰＤＩＣに取付けて構成した光デバイスが記載されている。
【先行技術文献】
【特許文献】
【０００６】
【特許文献１】特開２００５−０５６４８０公報
【特許文献２】特開２０００−１９６１７６公報
【発明の概要】
【発明が解決しようとする課題】
【０００７】
ところで、上記特許文献２の光デバイスの場合、光路変換ミラーを半導体基板に対するエッチングにより作製する。
【０００８】
この光デバイスにおいて、受光素子は、電子回路とともにＰＤＩＣとして作製され、回路規模や周波数特性の観点から、例えば、いわゆる０．５μｍルールといったアナログＩＣとしては微細な作製プロセスを必要とする。そのため、作製プロセス後の面積単価が高価である。そして、半導体レーザの搭載部やエッチングによる光路変換ミラーも一体的に作製されるため、総面積が冗長となり、全体として高価なものとなってしまう。
【０００９】
また、光路変換ミラーの作製に適した結晶方位を有しながら、アナログＩＣの作製プロセスにも適した半導体基板を用いなければならない。さらに、前述したアナログＩＣの作製プロセスとエッチングプロセスとを半導体基板全体で通過させる必要があり、作製時間が長くなり、また、先に作製した部分が、後の作製プロセスにおいて傷損を被る虞がある。
【００１０】
また、一体の半導体基板により受光部及び発光部の配置が制約されるため、受光素子基板を作製した後には、受光部及び発光部間の相互位置関係を変更することが不可能であり、調整により修正することができず、また、僅かな設計変更にも対応することができない。さらに、光路変換ミラーにより反射された光束の強度分布や偏光方向の変更が困難である。
【００１１】
一方、特許文献１に記載の光デバイスの場合、ＰＤＩＣ上に、光路変換ミラー、サブマウント及び半導体レーザをそれぞれ別体で搭載する。そのため、光路変換ミラー、サブマウント及び半導体レーザの搭載時の位置の誤差が累積してしまうという問題がある。また、部品点数が多いため、搭載工程も多くなり、製造工程が煩雑である。さらに、光路変換ミラーとなるガラス製のミラーが高価である。
【００１２】
さらには、二波長の光源を一体に集積し、かつ、受光素子を共用する構成においては、サブマウントと光路変換ミラーの位置制約のため、ホログラム等によって回折される復路光束スポットの位置を任意に決定できず、光学的バランスを最適化することができない。あるいは、発光点位置を調整するために、半導体レーザ、あるいは、サブマウントの厚さ方向に段差を設ける必要があり、かつ、段差を形成するための工程が実現困難、あるいは不十分になってしまう。
【００１３】
そこで、本発明は、前述の実情に鑑みて提案されるものであって、半導体サブマウントに搭載した半導体レーザと受光素子基板とを一体的に集積化した光デバイスにおいて、部品点数を削減し、また、各部品の相互位置の誤差の累積による性能劣化を回避し、調整工程を簡素化しつつ、射出光の光強度分布や偏光方向などの光学的設定の自由度が確保でき、さらには複雑な工程を必要とすることなく、複数波長のいずれにおいても同一の受光素子上に最適な復路光束スポットの位置を最適化可能な光デバイスを提供することを目的とする。
【課題を解決するための手段】
【００１４】
前述の課題を解決し、前記目的を達成するため、本発明に係る光デバイスは、以下の構成の少なくとも一を有するものである。
【００１５】
〔構成１〕
少なくとも二個の第１及び第２の半導体レーザが並列して搭載され第１及び第２の半導体レーザを搭載する搭載部及び第１及び第２の半導体レーザから射出したレーザ光を反射する光路変換ミラーが一体化形成され配線基板上に設置されたサブマウントと、配線基板上に設置された受光素子基板と、受光素子基板上に設けられ少なくとも一本の分割線によって分割された第１及び第２の受光領域を有する受光素子とを備え、サブマウントの配線基板上における回転位置が調整されていることにより、第１の半導体レーザから発せられ光ディスクにより反射された復路光束の受光素子上における光スポットの重心と、第２の半導体レーザから発せられ光ディスクにより反射された復路光束の受光素子上における光スポットの重心とが、いずれも同一の分割線上に位置することを特徴とするものである。
【００１６】
〔構成２〕
少なくとも二個の第１及び第２の半導体レーザが並列して搭載され第１及び第２の半導体レーザを搭載する搭載部及び第１及び第２の半導体レーザから射出したレーザ光を反射する光路変換ミラーが一体化形成され配線基板上に設置されたサブマウントと、配線基板上に設置された受光素子基板と、受光素子基板上に設けられ少なくとも一本の分割線によって分割された第１及び第２の受光領域を有する受光素子とを備え、
第１の半導体レーザの光路変換ミラーによる第１の見かけの発光点は、第１の半導体レーザから発せられ光ディスクにより反射された復路光束を受光した第１の受光領域及び第２の受光領域からの各光検出出力の差演算出力が０となる位置となっており、第１の半導体レーザと第２の半導体レーザの発光点間隔をｄとし、サブマウントの配線基板上における回転位置が、受光素子基板の上面に平行で分割線に直交する方向に対して角度θだけ回転調整され、第１の見かけの発光点と第２の半導体レーザの光路変換ミラーによる第２の見かけの発光点との高さの差をΔＹとするとき、ΔＹ＝−ｄsinθの関係を有し、第２の半導体レーザから発せられ、光ディスクにより反射された復路光束を受光した第１の受光領域及び第２の受光領域からの各光検出出力の差演算出力が０となっていることを特徴とするものである。
【発明の効果】
【００１７】
本発明によれば、射出複雑な工程を必要とすることなく、複数波長のいずれにおいても同一の受光素子上に最適な復路光束スポットの位置を最適化可能な光デバイスを提供することができるものである。
【図面の簡単な説明】
【００１８】
【図１】本発明に係る光デバイスを用いた光ピックアップの構成を示す斜視図である。
【図２】本発明に係る光デバイスの構成を示す分解斜視図である。
【図３】本発明に係る光デバイスの構成を示す上面図（ａ）及び側面図（ｂ）である。
【図４】本発明に係る光デバイスと光ディスクとの位置関係を示す上面図である。
【図５】本発明に係る光デバイスを記録トラックに対して回転させて配置した状態を示す平面図である。
【図６】本発明に係る光デバイスを記録トラックに対して回転させて配置した状態を示す詳細な平面図である。
【図７】本発明に係る光デバイスの構成の他の例を示す分解斜視図である。
【図８】半導体レーザと受光素子とを一体化し集積化した従来の光デバイスであって、記録トラックに対して回転させて配置した光デバイスの構成を示す平面図である。
【発明を実施するための形態】
【００１９】
以下、本発明を実施するための形態について、図面を参照して説明する。
【００２０】
〔第１の実施の形態〕
図１は、本発明に係る光デバイスを用いた光ピックアップの構成を示す斜視図である。
【００２１】
本発明に係る光デバイスは、図１に示すように、記録トラック５８に沿って情報信号が記録された情報記録媒体である光ディスク５５に対して収束光を照射し、この収束光の光ディスク５５からの反射光を検出して、情報信号を読み取る光ピックアップに適用することができる。
【００２２】
本発明に係る光デバイスは、金属板の打抜き材からなり樹脂パッケージ５に一体化されて補強された配線基板となるリードフレーム４を有している。リードフレーム４の上面の金属露出部分（搭載部）には、光路変換ミラー７を一体形成したサブマウント２が搭載されている。このサブマウント２上には、光路変換ミラー７に対向して、半導体レーザ１が搭載されている。サブマウント２は、光路変換ミラー７に対向する位置に、半導体レーザ１が搭載されるための平面部が形成されている。
【００２３】
また、リードフレーム４上には、サブマウント２の側方に位置して、ＰＤＩＣ（受光素子）３が搭載されている。ＰＤＩＣ３の上面には、表面から数μｍの範囲内に、受光領域１１や、図示しない増幅演算回路等が、半導体プロセスにより形成されている。
【００２４】
これらサブマウント２及びＰＤＩＣ３は、リードフレーム４上に相互位置決めされて搭載されている。
【００２５】
光ピックアップにおいて、サブマウント２上に搭載された半導体レーザ１から射出された光束は、光路変換ミラー７により反射され、ホログラム素子１９を透過して、対物レンズ２５に入射される。この光束（往路光）は、ホログラム素子１９においては何らの作用も受けずに透過する。
【００２６】
対物レンズ２５に入射した光束は、この対物レンズ２５によって収束光となり、光ディスク５５の信号記録上に集光され、この信号記録面上に光スポット５６を形成する。
【００２７】
そして、光ディスク５５の信号記録面において反射された反射光（複路光）は、対物レンズ２５に戻り、この対物レンズ２５を経てホログラム素子１９に入射する。このホログラム素子１９は、光ディスク５５からの反射光の通過領域を含む平面上に形成されている。なお、このホログラム素子１９は、透明基板１８上に、微細周期構造として作製されている。
【００２８】
ここで、光ディスク５５上の記録トラック５８の接線に平行な軸（図１中のＹ軸）をタンジェンシャル軸５９と呼び、このタンジェンシャル軸５９に直交し光ディスク５５の回転中心軸６０を通る軸（図１中のＸ軸）をラジアル軸６１と呼ぶ。光ディスク５５に対する往復の光束の光軸５７（図１中のＺ軸）は、これらタンジェンシャル軸５９及びラジアル軸６１のいずれとも直交する。
【００２９】
ホログラム素子１９に入射した光ディスク５５からの反射光は、このホログラム素子１９において、回折作用を受ける。ホログラム素子１９は、複数の分割線２０，１５，１６，１７によって複数の領域（８領域）に分割されている。光ディスク５５からの反射光は、ホログラム素子１９の分割された領域のそれぞれにおいて、異なる、または、同一の回折作用を受ける。回折作用を受けた光ディスク５５からの反射光は、１次回折光として、光軸５７に対して所定の角度をなして０次光より分岐され、２組の回折光群（計４本の回折光）として射出される。これら２組の回折光群は、互いに空間的に離間する位置において、ＰＤＩＣ３上に入射する。
【００３０】
ＰＤＩＣ３上には、受光素子１１が形成されている。ホログラム素子１９を経た２組の回折光群は、いずれも受光素子１１に漏れなく入射して、光スポット２２，２３を形成する。すなわち、受光素子１１は、ホログラム素子１９を経た反射光を検出する。
【００３１】
受光素子１１は、２本の分割線２１，２４によって４つの受光領域に分割されている。この受光素子１１は、分割された受光領域ごとに、入射した光束の光量に応じた光電変換を行い、信号出力を行う。この受光素子１１は、４つの受光領域に分割されているので、４本の信号出力を行う。これら４本の信号出力を演算することにより、光ディスク５５に記録された情報信号の読取り信号及び各種のエラー信号が生成される。
【００３２】
図２は、本発明に係る光デバイスの構成を示す分解斜視図である。
【００３３】
この光デバイスにおいて、光路変換ミラー７を有するサブマウント２は、図２に示すように、同一のウエハ（Ｓｉ単結晶基板）１２内において作製される。すなわち、サブマウント２は、ウエハ１２内に複数が配列された状態に形成されて、このウエハ１２を個々のサブマウント２に切断することによって作製される。
【００３４】
サブマウント２を作製するためのウエハ１２としては、エッチドミラーである光路変換ミラー７を作製するのに適した安価な基板（いわゆるオフ基板）を用いることができ、例えば、４インチのものであってもよい。
【００３５】
一方、ＰＤＩＣ３は、サブマウント２とは別のウエハ１３内において作製される。すなわち、ＰＤＩＣ３は、ウエハ１３内に複数が配列された状態に形成されて、このウエハ１３を個々のＰＤＩＣ３に切断することによって作製される。
【００３６】
ＰＤＩＣ３を作製するためのウエハ１３としては、高速演算回路に適したエピウエハ（いわゆるジャスト基板）を用い、いわゆるサブμｍルールを適用した装置により作製プロセスを実行することが可能な、例えば、６インチウエハであることが好ましい。
【００３７】
このように、サブマウント２及びＰＤＩＣ３を、それぞれ別個のウエハ１２，１３から作製することにより、これらサブマウント２及びＰＤＩＣ３は、全く独立に最適なプロセス、サイズ及び厚さを選択して作製することが可能である。
【００３８】
この光デバイスにおいては、ＰＤＩＣ３の表面を、光学的及び機械的基準面として用いている。そして、サブマウント２及び半導体レーザ１は、ＰＤＩＣ３の表面に半導体プロセスにより形成された図示しないアライメントマーク等を基準として、μｍオーダの精度でリードフレーム４上に搭載される。
【００３９】
図３は、本発明に係る光デバイスの構成を示す上面図（ａ）及び側面図（ｂ）である。
【００４０】
この光デバイスにおいては、光路変換ミラー７は、半導体レーザ１が搭載されるサブマウント２に対して、予め一体的に形成されている。そのため、半導体レーザ１及びサブマウント２の搭載工程においては、これら半導体レーザ１及びサブマウント２間の相互位置関係のみを制御すればよい。
【００４１】
従来の光デバイスにおいて、サブマウント２と光路変換ミラー７とが別体となっている場合には、これらサブマウント２及び光路変換ミラー７間の相対位置関係を高精度に制御する必要があり、また、両者を別工程で搭載することに鑑みると、両者間には数十μｍの空隙（クリアランス）が確保されている必要がある。そのため、従来の光デバイスにおいては、半導体レーザ１の発光点６と、光路変換ミラー７に反射されることによる見かけの発光点１４との間隔を短縮するには限界がある。
【００４２】
これに対し、本発明に係る光デバイスにおいては、見かけの発光点１４の位置を決める光路変換ミラー７は、発光点６の位置を決めるサブマウント２に一体的に同一のウエハ１２上において形成されるため、前述したような空隙（クリアランス）は必要ではない。
【００４３】
したがって、この光デバイスにおいては、発光点６と見かけの発光点１４との間隔を相対的に数十μｍとすることができ、図１に示すように、発光点６から円錐状に広がって射出される光束の有効発散角が一定（例えば、片側１０°程度）であるとすると、発光点６と見かけの発光点１４との間隔の二乗に比例して、光路変換ミラー７上において必要な反射面積を小さくすることができる。そのため、射出波面として厳しい管理、例えば、波面収差のＲＭＳ値（Root Mean Square：二乗平均）を０．０５λ程度未満とする管理が必要となる光路変換ミラー７の表面状態の管理が容易となり、Ｓｉウエハにエッチングにより形成する場合の歩留りを向上させることができる。
【００４４】
図４は、本発明に係る光デバイスと光ディスクとの位置関係を示す上面図である。
【００４５】
この図４においては、光デバイスが、光ディスク５５より、光ピックアップの光学系において光学的に写像される位置関係を示しており、通常の光強度分布（光束断面形状）及び偏光方向を示している。
【００４６】
本発明に係る光デバイスにおいては、サブマウント２は、リードフレーム４上に写像される光ディスク５５の記録トラック５８の接線に対して回転された位置に設置され固定されている。そして、半導体レーザ１から射出されサブマウント２の光路変換ミラー７によって反射されてこの光デバイス外に射出される光束は、光束断面形状の長軸方向、光束断面形状の短軸方向、あるいは、直線偏光の方向のいずれか一つ乃至二つが、受光素子１１の各分割線２１，２４に対して、略平行ではなく、また、直交せず、所定の角度をなしている。
【００４７】
そのため、この光デバイスを用いた光ピックアップにおいては、光ディスク５５からの戻り光をホログラム素子１９により受光素子１１に戻す場合に、ホログラム素子１９の波長依存性による回折光の位置変動や、トラッキングエラー信号及びフォーカスエラー信号の検出方式等による制約を受けずに、光ディスク５５の再生品位に影響する射出光の偏光方向と記録トラック５８との相対角度や、対物レンズ瞳における強度分布を調整することができ、最適な偏光方向、あるいは、対物レンズの瞳端における光強度を設定することが可能になり、ひいては、線密度及び記録トラック密度のいずれにおいても光学的性能を両立させることが可能になる。
【００４８】
図８は、半導体レーザと受光素子とを一体化し集積化した従来の光デバイスであって、記録トラックに対して回転させて配置した光デバイスの構成を示す平面図である。
【００４９】
ここで、図８に示すように、半導体レーザ１０４と受光素子１１０とを一体化し集積化した従来の光デバイスを用いて、見掛けの発光点と受光素子１１０との相対関係を維持しつつ、射出光の直線偏光の方向を記録トラック５８に対して所定角度傾けて、タンジェンシャル方向の射出光強度分布とラジアル方向の射出光強度分布とを調整する場合には、光路変換ミラー１０５とサブマウント１０３のいずれをも回転させたうえに、相互の位置関係を精密に計算したうえで、位置関係を定める必要があった。
【００５０】
これに対し、本発明に係る光デバイスにおいては、光路変換ミラー７がサブマウント２に対して一体となっているので、半導体レーザ１の発光点と光路変換ミラー７との相互位置関係を精度良く定めたうえで、この位置関係を維持したまま、一体的に位置決めしてリードフレーム４上に載置することができ、簡便、かつ、精度よく位置決めを行うことができる。
【００５１】
なお、ＢＤディスクに対応した光ピックアップにおいては、対物レンズ２５に至る光強度分布に敏感であり、タンジェンシャル軸５９とラジアル軸６１とで同等の強度分布が求められる場合があり、この場合には、ビーム整形光学系が必要となる場合がある。
【００５２】
なお、ウエハ１２には、オフ基板を、ウエハ１３には、ジャスト基板を用いることができる。ジャスト基板とは、インゴットＳｉの所定の結晶面に平行な角度で切り出されたものをいう。オフ基板とは、インゴットＳｉの所定の結晶面に対して所定の角度で切り出されたものをいう。
【００５３】
図５は、本発明に係る光デバイスを記録トラックに対して回転させて配置した状態を示す平面図である。
【００５４】
ところで、この光デバイスにおいては、図５に示すように、ＤＶＤ用６５０ｎｍ帯のレーザチップ（第１の半導体レーザ）１ａ及びＣＤ用７８０ｎｍ帯のレーザチップ（第２の半導体レーザ）１ｂは、別体のレーザチップで構成され、サブマウント２上に近接並置される。これらレーザチップ１ａ，１ｂの発光点は、同一部材（サブマウント２）上に一体化された光路変換ミラー７を介して、対物レンズ側から見て見かけの発光点１４ａ，１４ｂとして観察され、これらが光ピックアップの光学系における実質的な発光点の位置となる。
【００５５】
この光デバイスにおいては、ＤＶＤ及びＣＤ各々の再生動作時には、いずれか一方のレーザチップ１ａ，１ｂのみが発光する。レーザチップ１ａ，１ｂから発せられた光束は、対物レンズ２５を経て光ディスク５５に照射され、この光ディスク５５により反射される。この反射光は、再び対物レンズ２５を経由し、光デバイスとして一体化されたホログラム素子１９の回折作用により、ラジアル＋方向に回折分岐される。この光束は、主に対物レンズ２５の開口数によって定まる有限の大きさの復路スポット２２ａ，２２ｂとして受光素子１１に照射される。受光素子１１においては、受光した光束を光電変換（Ｉ−Ｖ変換）し、増幅などを経て信号出力する。
【００５６】
ここで、フォーカス、トラッキングなどの光ディスク基本動作のための各種エラー信号生成のため、受光素子１１の受光領域は分割線２１，２４により複数の領域に分割されている。各受光領域からの出力信号は、その後、加減算処理を施される。
【００５７】
図６は、本発明に係る光デバイスを記録トラックに対して回転させて配置した状態を示す詳細な平面図である。
【００５８】
一般に、ホログラム素子１９を用いた光デバイスにおいては、図６に示すように、ホログラム素子１９における回折角の波長依存性の影響を回避するため、受光素子１１における受光領域のラジアル方向の分割線２１を、ホログラム素子による回折方向に一致させている。そして、ラジアル方向の分割線２１によってタンジェンシャル方向に分割された各受光領域ＰＤａ，ＰＤｂの受光強度バランスを保つことが、光デバイスの性能維持のために重要とされている。
【００５９】
また、ＤＶＤ用のレーザチップ１ａ及びＣＤ用のレーザチップ１ｂの各発光点をラジアル軸方向に並置させ、回折方向もラジアル軸方向とすることで、いずれの復路スポット２２ａ，２２ｂも、概ねラジアル軸方向の分割線２１上に位置させることができる。二つの見かけの発光点１４ａ，１４ｂは、完全に一致させることはできず、１２０μｍ程度の発光点間隔ｄだけ離間している。
【００６０】
このような見かけの発光点１４ａ，１４ｂの位置の不一致と、ホログラム素子１９のレンズ作用の位置依存性（回折方向の位置依存性）とが組み合わせられた作用により、対物レンズ２５によって開口が決まる復路光束が、受光素子１１上で各々の波長でタンジェンシャル方向にも厳密には一致しない現象、例えば、光強度重心で受光素子面上で１０μｍ以内程度ずれる現象が、図５に示すように、シミュレーション及び実測により確認されている。この現象により、ＤＶＤ及びＣＤのような複数の規格の光デバイスの再生動作において、各再生性能のマージンの低下、最良ポイントの不一致が生ずることが知られている。
【００６１】
本発明に係る光デバイスにおいては、光路変換ミラー７が一体化されたサブマウント２は、図５及び図６に示すように、リードフレーム４の上面において回転自由度を有しており、受光素子１１との位置関係を一方の波長について固定し、他方の波長について微調整することが可能である。この微調整により、上記の現象を解消することができる。
【００６２】
すなわち、始めに、ＤＶＤ用のレーザチップ１ａ及びＣＤ用のレーザチップ１ｂの相互位置を調整して、二つのレーザチップ１ａ，１ｂの見かけの発光点１４ａ，１４ｂが同一のラジアル軸（Ｘ軸）上に存在し、かつ、ＤＶＤ用レーザ光の復路光スポット２２ａの重心が受光領域の分割線２１上に位置するようにする。ここで、二つのレーザチップ１ａ，１ｂの見かけの発光点１４ａ，１４ｂがラジアル軸（Ｘ軸）上に存在する状態を基準位置と定める。
【００６３】
この状態で、ＣＤ用レーザチップ１ｂが発光し、光ディスク５５における反射及びホログラム素子１９における回折作用により、ＣＤ用レーザ光の復路光が受光領域に照射されると、復路光スポット２２ｂの重心は、前述した現象により、分割線２１上から数μｍ、タンジェンシャル軸（Ｙ軸）上にずれを生じる。
【００６４】
一方、分割線２１を挟む２つの受光領域ＰＤａ，ＰＤｂからの光検出出力ＶＰＤａ，ＶＰＤｂの差演算出力は、復路光スポット２２ａ，２２ｂの重心が分割線２１に一致した場合にのみ０となり、それ以外では、タンジェンシャル軸（Ｙ軸）方向の位置ずれにほぼ比例した以下の出力（ＰＤbalanceＹ）となる。
ＰＤbalanceＹ＝（ＶＰＤａ−ＶＰＤｂ）／（ＶＰＤａ＋ＶＰＤｂ）
【００６５】
この出力（ＰＤbalanceＹ）が０となるＣＤ用レーザ光の見かけの発光点１４ｂのタンジェンシャル方向についての位置は、一義に定まり、ＤＶＤ用レーザ光の見かけ発光点１４ａの基準位置に対して、見かけの発光点高さ差ΔＹ（分割線２１に直交するＹ軸方向の距離成分）が定まる。
【００６６】
前述したように、ＣＤ用レーザ光の見かけの発光点１４ｂとＤＶＤ用レーザ光の見かけ発光点１４ａとの間隔ｄは、１２０μｍ程度の所定値であるので、サブマウント２を、ＤＶＤ用レーザ光の見かけの発光点１４ａを中心として、以下の角度θだけ回転させれば、ＣＤ及びＤＶＤのいずれについても、ＰＤbalanceＹを０とすることができ、両者についての性能を良好に両立可能である。なお、θの方向については、図１に示している。
【００６７】
すなわち、サブマウント２のリードフレーム４上における回転位置を、Ｙ軸に対して角度θだけ回転調整することにより、発光点間隔ｄのＹ軸方向成分ΔＹを調整し、ＣＤ用レーザチップ１ｂから発せられ、光ディスク５５により反射された復路光束を受光した第１の受光領域ＰＤａ及び第２の受光領域ＰＤｂからの各光検出出力ＶＰＤａ，ＶＰＤｂの差演算出力が０となるようにする。発光点間隔ｄのＹ軸方向成分ΔYは、以下のように示される。
ΔＹ＝−ｄsinθ
【００６８】
したがって、角度θは、以下のように示される。
θ＝−sin−１（ΔＹ／ｄ）
【００６９】
例えば、各発光点間隔ｄが１２０〔μｍ〕、最適な見かけの発光点高さ差ΔＹが１０〔μｍ〕である場合、角度θは、以下のように、−４．７８〔deg〕となる。
θ＝−sin−１（ΔＹ／ｄ）＝−sin−１（１０／１２０）＝−４．７８〔deg〕
【００７０】
すなわち、サブマウント２を、ＤＶＤ用レーザ光の見かけの発光点１４ａを中心に時計回り（−方向）に４．７８°だけ回転させれば  ＤＶＤ及びＣＤのいずれについても、ＰＤbalanceＹを０とすることができる。
【００７１】
なお、この光デバイスの量産時には、ＤＶＤ及びＣＤについてのＰＤbalanceＹ、あるいは、復路光スポットの重心位置は、個々の光デバイスについて測定する必要はなく、事前のシミュレーション、あるいは、試作時の実測により一定値を定めておき、この一定値に基づいて生産管理することができる。サブマウント２の搭載位置や、回転中心及び回転角度は、画像認識及び演算により、容易に管理することが可能である。
【００７２】
〔第２の実施の形態〕
ところで、この光デバイスにおいては、前述したように、サブマウント２はサブマウント用のウエハ１２から作製され、ＰＤＩＣ３はＰＤＩＣ用のウエハ１３から作製される。ここで、図２に示すように、サブマウント用のウエハ１２の厚さをｈ、ＰＤＩＣ用のウエハ１３の厚さをｊとする。このとき、各ウエハ１２，１３間、あるいは、ウエハ内の面内分布により、±３μｍ程度の厚さ誤差が生ずる。
【００７３】
ここで、サブマウント２がΔｈの厚さ誤差を有して厚さｈ′となり、ＰＤＩＣ３がΔｊの厚さ誤差を有して厚さｊ′となっているとする。この場合、図３中の（ｂ）に示すように、双方の誤差が逆方向であると、見かけの発光点１４から受光領域１１の表面までの高さの差は、設計値ｄに対し、Δｄ＝Δｈ＋Δｊの合計誤差を持ってしまう。前述のように、各ウエハ１２，１３の厚み誤差が、各々±３μｍで、見かけの発光点１４から受光領域１１の表面までの高さの差の誤差限界が±５μｍであるとすると、Δｄは、最大で、Δｄmax＝３＋３＝６（μｍ）となってしまい、誤差限界の５μｍを超えてしまう虞がある。
【００７４】
図７は、本発明に係る光デバイスの構成の他の例を示す分解斜視図である。
【００７５】
そこで、サブマウント２とＰＤＩＣ３とで、元になるウエハを別体化によるメリットよりも、光学的精度を重視する用途では、図７に示すように、サブマウント２、光路変換ミラー７及びＰＤＩＣ３を一枚のウエハ１２上に作製し、これを切断して、隣接するチップ同士を同一のデバイスに用いることにより、同一のウエハ厚とみなすことができるので、光学的な高さ関係の精度を向上させることが可能である。
【００７６】
すなわち、この実施の形態の光デバイスにおいては、サブマウント２及びＰＤＩＣ３は、ともに同一のウエハ１２上において複数が作製され、切断されて作製される。サブマウント２もＰＤＩＣ３もＳｉ単結晶基板から作製されることに着目すれば、半導体工程等は類似しているため、同一のウエハ１２内に作製可能である。この場合、このウエハ１２の厚さｈは、サブマウント２及びＰＤＩＣ３において共通となる。
【００７７】
さらに、形状的に双方の一辺の長さを共有するものとすれば、ウエハ１２内で両者を隣接した配置とすることができ、ウエハ研磨による厚さの面内分布を考慮しても、双方を完全に同一の厚さで作製することが可能である。すなわち、図８に示すように、サブマウント２の長辺と、ＰＤＩＣ３の短辺とを同一として隣接させ、切出した後のＰＤＩＣ３を９０°回転させて、同一のリードフレーム４上に搭載することができる。
【００７８】
この実施の形態においても、半導体レーザ１は、ＰＤＩＣ３の表面を光学的及び機械的基準面として用いて、半導体プロセスで形成された（図示しない）アライメントマーク等を基準として、μｍオーダの精度でサブマウント２上に搭載される。
【００７９】
ここで、サブマウント２がΔｈの厚さ誤差を有して厚さｈ′となり、ＰＤＩＣ３もΔｈの厚さ誤差を有して厚さｈ′となっているとする。この場合、双方の誤差が同一方向であるので、Δｄ＝Δｈ−Δｈ＝０となって、誤差が相殺され、図３中の（ｂ）に示すように、見かけの発光点１４から受光領域１１の表面までの高さの差は、設計値ｄに対し、誤差のない状態となる。前述のように、ウエハ１２の厚み誤差が、±３μｍであっても、見かけの発光点１４から受光領域１１の表面までの高さの差の誤差は略０（μｍ）となり、誤差限界を超えることがない。
【００８０】
そして、この実施の形態においては、前述の実施の形態と同様に、光路変換ミラー７がサブマウント２に一体的に形成されているので、サブマウント２、光路変換ミラー７及びＰＤＩＣ３が同一のウエハから作製され、総合的な位置精度が向上される。
【産業上の利用可能性】
【００８１】
本発明に係る光デバイスは、主に、光ディスク等の光情報記録媒体の記録及び／又は再生用光ピックアップにおいて用いられる。
【符号の説明】
【００８２】
１，１ａ，１ｂ  半導体レーザ
２  サブマウント
３  ＰＤＩＣ（受光素子）
４  リードフレーム
５  樹脂パッケージ
６  発光点
７  光路変換ミラー
１１  受光領域
１２  サブマウント用のウエハ（半導体基板）
１３  受光素子用のウエハ（半導体基板）
１４  見かけの発光点
【図１】
2010231874.tif 000003
【図２】
2010231874.tif 000004
【図３】
2010231874.tif 000005
【図４】
2010231874.tif 000006
【図５】
2010231874.tif 000007
【図６】
2010231874.tif 000008
【図７】
2010231874.tif 000009
【図８】
2010231874.tif 000010